(57)【特許請求の範囲】
【請求項１】
方形柱状をなし、軸心方向には中空状の排水路が設けられ、該排水路と外部とを連通するスリットが上面壁に設けられ、かつ両側面を薄肉側面とし、前記スリットは、前記排水路から外部へ向けて先細り状に形成されかつ外部側は面取りされてなり、該スリットに間隔をおいてくさび状間隔保持具が着脱自在に取り付けられたスリット付き側溝の連結敷設方法であり、
前記側溝の連結面を当接させると共に、両側溝のスリットを一致させ、かつ両連結面に跨がるスリット内にくさび状間隔保持具兼連結ずれ防止具を嵌め込んだことを特徴とするスリット付き側溝の連結敷設方法。
【請求項２】
前記両スリットに嵌まり込むくさび状間隔保持具兼連結ずれ防止具は可撓性部材で形成されていると共に、該くさび状間隔保持具兼連結ずれ防止具の側面は前記スリット面取り部に係止して抜け防止される凹凸状の抜け防止面として構成されていることを特徴とする請求項１記載のスリット付き側溝の連結敷設方法。
【発明の詳細な説明】
【０００１】
【発明の属する技術分野】
本発明は、例えば、道路の両脇に敷設されるスリット付き側溝の連結敷設方法に関するものである。
【０００２】
【従来の技術】
従来、スリット付き側溝は、図５から理解されるように、断面正方形か断面長方形の角棒状をなして形成され、そして、上面壁側外部と内部の水路等の機能を果たす排水路とはスリットにより連通されていた。
このように上面壁に外部と内部の水路等の機能を果たす排水路とを連通するスリットの設けられた側溝は、例えば車道等の両脇に敷設されることが多い。
【０００３】
すなわち、降雨時においては、車道に流れ込んだ大量の雨水等が当該側溝に設けられたスリットから内部の排水路に迅速に流れ込むものとなり、きわめて水はけが良好だからである。
よって、このようなスリット付き側溝の製造、販売、使用が年々増加してきているのが実状である。
【０００４】
【発明が解決しようとする課題】
しかしながら、前記従来のスリット付き側溝では、上面壁を完全に離間させるスリットを設けたため、その部分が外から押されて下面壁部分から折れやすくなっており、その折れ防止のため、側溝全体として厚肉にして構成されている（図５参照）。
【０００５】
しかし、そのため原材料を多く使うこととなりもって製造コストが高くなってしまうとの懸念があり、さらには重量が重くなるために運搬や敷設作業が困難となっているとの課題があった。
また、スリット付きの側溝の連結敷設作業においては、内部の排水路を正確に連通させるのみならず、上面壁に有するスリットをも正確に繋がなくてはならない。
【０００６】
しかも、前記スリットを正確に繋いで側溝同士を連結敷設しても、道路形成時に工事用重機類の振動や押圧を受けて側溝の連結部で前記スリットの連通状態がずれてしまうとのおそれがあった。
かくして、本発明は前記従来の課題に対処すべく創案されたものであり、側溝の両側面を薄肉にし、使用すべきコンクリートの量を減らして製造コストを安価にすると共に、また、製造したスリットをも破損するおそれがなく、運搬、敷設に際しても重量が軽量化できるためそれらの作業が容易となり、しかも、スリット付き側溝の連結敷設作業が簡単に行え、連結敷設作業後において連通させたスリットがずれることのないスリット付き側溝の連結敷設方法を提供することを目的とするものである。
【０００７】
【課題を解決するための手段】
本発明によるスリット付き側溝の連結敷設方法は、
方形柱状をなし、軸心方向には中空状の排水路が設けられ、該排水路と外部とを連通するスリットが上面壁に設けられ、かつ両側面を薄肉側面とし、前記スリットは、前記排水路から外部へ向けて先細り状に形成されかつ外部側は面取りされてなり、該スリットに間隔をおいてくさび状間隔保持具が着脱自在に取り付けられたスリット付き側溝の連結敷設方法であり、
前記側溝の連結面を当接させると共に、両側溝のスリットを一致させ、かつ両連結面に跨がるスリット内にくさび状間隔保持具兼連結ずれ防止具を嵌め込んだことを特徴とし、
または、
前記構成において、前記両スリットに嵌まり込むくさび状間隔保持具兼連結ずれ防止具は可撓性部材で形成されていると共に、該くさび状間隔保持具兼連結ずれ防止具の側面は前記スリット面取り部に係止して抜け防止される凹凸状の抜け防止面として構成されていることを特徴とするものである。
【０００８】
【発明の実施の形態】
以下、図に基づいて本発明に係るスリット付き側溝の連結敷設方法の具体例について説明する。
まず、本発明によるスリット付き側溝１は、図に示すように四角柱状の両側面を薄肉状態にした形状をなしており、その軸心方向には略円柱状の排水路２が設けられている。
【０００９】
そして上面壁８には前記排水路２と外部とを連通させるスリット３が側溝１の軸心方向に向かって一直線状にして設けられている。よって、側溝１の上面壁８はスリット３により略幅方向中間位置から左右側に離間されて構成されている。図５には本来断面が縦型長方形をなした従来の側溝が示されており、内部の排水路２は縦型楕円状をなしている。
【００１０】
この従来側溝についても上面壁を完全に離間させるスリットを設けたため、その部分が外から押されて下面壁部分から折れやすくなる。よって、その折れ防止のため、側溝全体、特に下面壁部分を厚肉にして構成されている（図５参照）。しかして、本発明では図１及び図２に示すように、側溝の各々の両側面が薄肉状態に形成され、もって側溝作製のためのコンクリートの量の削減がはかられている。これにより側溝重量自体の軽量化が図られる。
【００１１】
このような両側面が各々薄肉状態の側溝１の作製は、例えばあらかじめ該当する薄肉状態での型枠装置を作製しておき、その型枠装置内にコンクリートを充填して図１及び図２に示すような形状の側溝１を作製すればよい。
すなわち、垂直方向へ向かって外型枠を立設し、内部にはスリット３と排水路２を形成するための内型枠をセットする。
【００１２】
図１及び図２に示す側溝はその軸方向が垂直の状態となるようにして型枠がセットされるのである。
そして、セットされた外型枠と内型枠との間にコンクリートが充填されて本発明のスリット付き側溝１が作製される。
脱型作業は、まず内型枠を垂直方向に抜いた後、固化した本発明の側溝を垂直に引っ張って引き抜くことにより行われる。
【００１３】
このように、当該側溝１にはその上面壁にスリット３があらかじめ設けられており、該スリット３は内部に設けられた排水路２と外部とを連通するものとなる。
そして、このスリット３は当該側溝１が例えば道路脇に敷設されたとき、雨水等の排水口となるもので、前記スリット３から雨水等を流入させて側溝１内部の排水路２に排出するものとなる。
【００１４】
ここで、本発明の側溝１においては該スリット３の長手方向に所定の間隔をおいて、くさび状の間隔保持具４が取り付けられている。
前記間隔保持具４につき説明すると、該くさび状をなす間隔保持具４はゴム、プラスチック等の可撓性部材で形成され、その両側面は取り付けた後の抜け防止のため、凹凸面の抜け防止面５として構成されている。
【００１５】
そして該抜け防止面５，５はスリット面取り部６に係止して、くさび状間隔保持具４が抜け出さないように構成されている（図４参照）。
該間隔保持具４の取り付け、取り外しについて説明する。
まず、取り付けは、くさび状の間隔保持具４をスリット３内に嵌め込み、間隔保持具４の頭部をハンマー等の殴打具でたたいて、くい込ませればよい。
【００１６】
次に取り外しは、スリット３内にくい込ませたくさび状間隔保持具４を引き抜き具８等により挟んで引き抜けばよい。
ここで、間隔保持具４を取り外す必要が生ずるのは、該側溝１を道路の路肩に敷設した後、下水路となった排水路２内に溜まった土砂、泥等のゴミを取り除くためである。
【００１７】
このスリット付き側溝１の連結敷設作業は、図２に示すように、舗装工事中の道路の脇に溝条を掘削し、その中にスリット付き側溝１を順次連結敷設することにより行われる。しかして、このスリット付き側溝１には前述したようにあらかじめくさび状間隔保持具４が２カ所に取り付けられている。
まず、溝条内に敷設したスリット付き側溝１に次いで連結すべきスリット付き側溝１を溝条内に敷設する。
【００１８】
その際、両側溝１の排水路２、２が連通するように連結面を繋ぐ。また、連結すべき両側溝１、１が上下左右ずれがないように敷設する。
続いて、隣り合うスリット付き側溝１，１のスリット３，３を一直線状になるようにあわせ、両連結面に跨がるスリット３，３内にくさび状の間隔保持具兼連結ずれ防止具７を嵌め込む。
【００１９】
尚、くさび状の間隔保持具兼連結ずれ防止具７は前述したくさび状の間隔保持具４とほぼ同様の構成をなしており、すなわち、ゴム、プラスチック等の可撓性部材で形成され、その両側面は取り付けた後の抜け防止のため、凹凸面の抜け防止面５として構成される。また抜け防止面５，５はスリット面取り部６に係止して、くさび状間隔保持具兼連結ずれ防止具７が抜け出さないように構成される。
【００２０】
そして、上述のように順次スリット付き側溝１を溝条内に連結敷設していくのである。
しかして、このように連結敷設することにより、道路の舗装工事の影響、すなわち道路形成時に工事用重機類の振動や押圧を受けて連結敷設されたスリット付き側溝の各連結部がずれてしまうとの弊害がないのである。
【００２１】
【発明の効果】
かくして本発明は以上の構成よりなる。
そして、本発明によるスリット付きの側溝の連結敷設方法であれば、側溝の両側面を薄肉にしてあるため使用すべきコンクリートの量を減らして製造コストを安価になしえ、また、製造したスリットをも破損するおそれのなく、さらに当該側溝の運搬、敷設に際しても重量を軽量化してあるためそれらの作業が容易に行え、さらにはスリット付き側溝の連結敷設作業後において連通させたスリットがずれることがない等の優れた効果を奏する。
【図面の簡単な説明】
【図１】  本発明の構成を説明する概略構成説明図である。
【図２】  本発明の構成を説明する概略断面図である。
【図３】  本発明の構成を説明する概略平面図である。
【図４】  本発明によるくさび状間隔保持具の取付状態を説明する説明図である。
【図５】  従来のスリット付き側溝を説明する構成説明図である。
【符号の説明】
１    スリット付き側溝
２    排水路
３    スリット
４    くさび状間隔保持具
５    抜け防止面
６    スリット面取り部
７    くさび状間隔保持具兼連結ずれ防止具
８    上面壁
【図１】
0004159209.tif 000002
【図２】
0004159209.tif 000003
【図３】
0004159209.tif 000004
【図４】
0004159209.tif 000005
【図５】
0004159209.tif 000006